(57)【特許請求の範囲】
【請求項１】
提供者の移動ターミナルで実行可能なコンテンツをコピーして、その後、受取者の移動ターミナルで受取者のターミナルのユーザにより実行できるようにする受取者の移動ターミナルのための装置であって、上記コンテンツは該コンテンツを使用するための金銭的コストを特定する価格データを有し、受取者の移動ターミナルで上記コンテンツを実行すると、被支払人エンティティへ支払われる料金が少なくとも生じ、受取者の移動ターミナルは、提供者のターミナルのピアデバイスであり、上記装置は、
提供者の移動ターミナルとの通信リンクを実施するように動作でき、受取者の移動ターミナルのダウンローダーアプリケーションによって形成される論理的なコネクタである受取者ターミナルダウンロードコネクタと、
受取者ターミナルのユーザの財源の可用度を示すデータを含む信用データを含む信用支払インジケータとを備え、該信用データは、コンテンツをコピーする前に受取者移動ターミナルに維持され、そして
上記支払インジケータ及び上記ダウンロードコネクタに接続されたダウンロードコントローラを更に備え、このダウンロードコントローラは、受取者ターミナルのユーザによるコンテンツの選択に応答して、上記コンテンツの価格データを上記信用データと比較し、そして上記受取者ターミナルのダウンロードコネクタが提供者ターミナルとの通信リンクを実施するように許可し、それにより、上記金銭的コストの支払いのために信用データの財源が得られることを上記支払インジケータが示す場合に受取者移動ターミナルへ上記コンテンツをダウンロードすることを特徴とする装置。
【請求項２】
上記提供者の移動ターミナルは、提供者の移動ターミナルのダウンローダーアプリケーションによって形成される論理的なコネクタである提供者ターミナルダウンロードコネクタを含み、そして上記受取者のターミナルのダウンロードターミナルは、上記提供者ターミナルダウンロードコネクタに係合できる請求項１に記載の装置。
【請求項３】
上記提供者ターミナルダウンロードコネクタが上記受取者ターミナルのダウンロードコネクタに係合するときに、提供者移動ターミナルと受取者移動ターミナルとの間にポイント対ポイント接続が形成される請求項２に記載の装置。
【請求項４】
上記提供者ターミナルダウンロードコネクタ及び上記受取者ターミナルダウンロードコネクタの各々は、実行可能なダウンローダープログラムを含む請求項３に記載の装置。
【請求項５】
上記受取者ターミナルダウンロードコネクタは、受取者移動ターミナルにおいて実行可能なダウンローダープログラムを含む請求項１に記載の装置。
【請求項６】
提供者移動ターミナルにおいて実行可能なコンテンツは、複数のアプリケーションプログラムの中から選択されたアプリケーションプログラムを含み、そして上記受取者ターミナルのダウンロードコネクタは、複数のアプリケーションプログラムの中から選択された選択されたアプリケーションプログラムを選択するように受取者ターミナルのユーザによって操作できる請求項１に記載の装置。
【請求項７】
上記支払インジケータは、受取者移動ターミナルに解除可能に係合でき、受取者移動ターミナルに係合されたときに上記ダウンロードコントローラに接続される請求項１に記載の装置。
【請求項８】
受取者ターミナルは、更に、カード部材受け入れプラットホームを備え、上記支払インジケータは、そこに記憶された受取者ターミナルユーザの信用データを含む支払カードを含み、上記支払インジケータは、カード部材受け入れプラットホームに解除可能に配置でき、そこに配置されたときに上記ダウンロードコントローラに接続される請求項７に記載の装置。
【請求項９】
上記支払インジケータは、受取者の移動ターミナルにおいて実行可能な電子ウオーレットソフトウェアを含む請求項１に記載の装置。
【請求項１０】
支払口座デポジトリーは、受取者ターミナルユーザに関連した電子支払口座を維持し、そして上記受取者ターミナルダウンロードコネクタは、この支払口座デポジトリーとの通信リンクを実施するように動作できる請求項１に記載の装置。
【請求項１１】
上記ダウンロードコントローラは、更に、上記受取者ターミナルダウンロードコネクタが支払口座デポジトリーとの通信リンクを実施するのを許す請求項１０に記載の装置。
【請求項１２】
上記被支払人エンティティは受取者移動ターミナルと通信するように動作可能であり、上記コンテンツは、所有者データを含み、この所有者データは、上記コンテンツの実行に関連した料金が生じるところの被支払人エンティティを示し、そして上記支払口座デポジトリーは、受取者移動ターミナルにおいてコンテンツを実行するのを許すために被支払人エンティティに対する支払いを借方記入する請求項１０に記載の装置。
【請求項１３】
上記コンテンツは、更に、支払口座デポジトリーデータを含み、この支払口座デポジトリーデータは、上記受取者ターミナルダウンロードコネクタが通信リンクを実施すべきところの位置を指示する請求項１２に記載の装置。
【請求項１４】
提供者の移動ターミナルからコンテンツをコピーし、その後、受取者移動ターミナルで受取者移動ターミナルのユーザにより実行できるようにすることを含む方法において、上記コピーをすることが、
財源の可用度を示すデータを含む信用データを与えられる上記受取者移動ターミナルが、受取者移動ターミナルと提供者移動ターミナルとの間に通信リンクを形成し、
上記受取者移動ターミナルが、該受取者移動ターミナルに配置された信用データを上記コンテンツを使用するための金銭的コストを特定する価格データと比較し、そして
上記金銭的コストの支払いのための上記信用データの財源が得られることを決定が示す場合に、受取者移動ターミナルがコンテンツをダウンロードする、という段階を含む方法であって、
上記コンテンツは、所有者データを含み、この所有者データは、コンテンツの実行に関連した料金が生じるところの被支払人エンティティを示し、
そして上記方法は、更に、
支払口座デポジトリーによって、受取者移動ターミナルへダウンロードされたコンテンツに対して信用データの財源を借方記入し、そして
上記支払口座デポジトリーによって、受取者移動ターミナルにおけるコンテンツの実行に対し被支払人エンティティを貸方記入する、という動作を含む方法。
【請求項１５】
上記コンテンツは、支払口座デポジトリーデータを含み、この支払口座デポジトリーデータは、上記被支払人エンティティの支払口座デポジトリーが配置された位置を示し、そして上記クレジット処理動作は、
上記受取者移動ターミナルによって、受取者移動ターミナルと支払口座デポジトリーとの間に通信リンクを形成し、そして
上記受取者移動ターミナルによって、支払口座デポジトリーへの電子式支払を実施する、ことを含む請求項１４に記載の方法。
【請求項１６】
上記価格データは、受信者移動ターミナルによって問合わせに応答して提供者移動ターミナルから受信される請求項１に記載の装置。
【発明の詳細な説明】
【０００１】
【技術分野】
本発明は、一般に、移動ｅ−コマースに係る。より詳細には、本発明は、提供者の移動ターミナルにインストールされたアプリケーションプログラムを受取者の移動ターミナルにロードし、そしてその後、受取者の移動ターミナルにおけるアプリケーションプログラムの使用に対し適当なエンティティを貸方記入（クレジット処理）する装置及び関連方法に係る。従って、アプリケーションプログラムを流通させる効率的な方法が提供される。
【０００２】
【背景技術】
ワイヤレス通信システムを使用して電話通信することが近年広く普及してきている。電話通信を行うのにワイヤライン接続が必要とされないので、ワイヤレス通信システムによる通信は、ワイヤライン接続の形成が実際的でないか又は不可能である位置において行うことができる。
例えば、セルラー通信ネットワークは、世界中の重要な部分にわたって設置されている。このようなセルラーネットワークに対し、非常に多数の加入者が、そのセルラーネットワークで包囲されたエリアに位置するときに電話通信することができる。このようなネットワークでは、音声及びデータ両方の電話通信を行うことができる。
【０００３】
セルラー通信ネットワークの加入者は、移動ターミナルによって通信する。あるセルラー通信ネットワークは、情報がその通信の前及びその受信の後にデジタル化されるデジタル通信技術を利用する。処理回路を使用して、送信前及び受信後に情報を処理する。
技術の進歩は、移動ターミナルが形成される処理回路及び他の回路を小型化できるようにした。このような進歩は、移動ターミナルのパッケージングを対応的に小型化し、移動ターミナルの携帯性を増大した。移動ターミナルは、通常、ユーザが例えばユーザのシャツのポケット等に入れて携帯できるような物理的寸法である。
【０００４】
移動ターミナルの回路を小型化できるようにした技術の進歩は、コンピュータ装置のような他の電子装置の小型化も可能にした。そして、技術の融合により、コンピュータ装置により便利に関連した能力を含む移動ターミナルが開発される結果となった。そして、コンピュータ装置は、技術的進歩及び技術の融合の結果として、益々、付加的な通信能力を含むようになっている。「移動ターミナル」という用語は、ここでは、セルラー通信システムにおいて単に通信するよう動作するだけの装置ではなく、広い範囲の装置を指すものとする。従って、コンピュータ装置間に従来設けられたポイント対ポイント接続、例えば、赤外線接続又はブルーツース接続も、ここに定義する移動ターミナル間で可能である。
【０００５】
処理回路は、一般に、ここではアプリケーションプログラムとも称されるコンテンツを実行することができる。コンテンツ及びアプリケーションプログラムという用語は、ここでは交換可能に使用されるべきであり、そして各々デジタル情報を参照するものである。処理回路によって実行できるかさもなくば使用できるコンテンツは、通常、処理回路によりアクセスできるメモリ装置に記憶される。コンテンツは、最初に、それをダウンロードすることにより記憶装置に記憶される。コンテンツを移動ターミナルにダウンロードすることは規則的に行われる。例えば、ワールド・ワイド・ウェブ（ＷＷＷ）を使用して情報を転送することは、主として、このような情報転送に関することである。ノキア９０００シリーズＴＭは、パーソナルコンピュータのようなソースからケーブル又は赤外線接続によりコンテンツをダウンロードすることができる。
【０００６】
ダウンロードされたコンテンツの起点及び完全性は、種々の方法で与えられる。例えば、マイクロソフト社により提供されるＡｕｔｈｅｎｔｉｃｏｄｅ（登録商標）は、ダウンロードされたコンテンツの起点及び完全性を照合するための商業的に入手できる方法の一例である。Ａｕｔｈｅｎｔｉｃｏｄｅ（登録商標）を使用すると、ＩＳＯＸ．５０９規格に規定された証明書を使用して、ダウンロードされたコンテンツの起点及び完全性を照合することができる。ダウンロードされたコンテンツの起点及び完全性を照合する他の方法は、通常、このような証明書を使用するものである。上述したように、既存の移動ターミナルは、そこにダウンロードされたコンテンツを受信することができる。将来、多量のそして多数の形式のコンテンツが移動ターミナルにおそらくダウンロードできることになろう。このようなコンテンツのあるもの及びおそらくその多くは、プライベートドメインコンテンツである。即ち、所有者又は他のエンティティは、このようなコンテンツの所有権を有し、そしてこのようなコンテンツの使用に対して支払を受ける権利をもつ。このようなコンテンツを市場に出し、流通させそしてその使用に対してインボイスを作成する便利な方法が必要となる。
【０００７】
コンテンツをその有望なユーザに対して市場で取引する最も効果的な方法の１つは、おそらく、移動ターミナルに既にインストールされたコンテンツをもつ別のユーザによるものである。このような市場取引は、本質的に、口コミの取引方法である。
コンテンツが既にインストールされた移動ターミナルから、このようなコンテンツを自分の移動ターミナルにインストールすることを希望するユーザの移動ターミナルにコンテンツを直ちにダウンロードすることを許す方法を提供できる一方、そのコンテンツの所有権を有するプライベートドメインエンティティが、そのコンテンツをユーザが付加的に使用することに対して適切に貸方記入（クレジット処理）されるよう保証する方法が提供されれば、コンテンツを市場取引する新規で且つ効率的な方法が、コンテンツに関連した市場取引の可能性を改善することになろう。
移動ターミナルにおいてコンテンツを流動させそして実行することに関連したこの背景情報に鑑み、本発明の顕著な改良がなされた。
【０００８】
【発明の開示】
従って、本発明は、提供者の移動ターミナルにインストールされたコンテンツを提供者のターミナルから受取者の移動ターミナルへロードする装置及び関連方法を効果的に提供する。コンテンツは、アプリケーションプログラムの所有権を有するエンティティの指示を含む。受取人の移動ターミナルにロードされると、コンテンツの所有権を有するエンティティは、その受取人の移動ターミナルにおけるコンテンツの使用に対して電子支払により貸方記入される。
提供者の移動ターミナルは、コンテンツのソースとして使用される。コンテンツを受取者の移動ターミナルにロードする前に、受取者の移動ターミナルにコンテンツがダウンロードされてその後に実行された場合にコンテンツの所有権を有するエンティティに支払するための財源が得られるかどうかについて判断がなされる。財源が得られるという判断がなされた場合には、受取者の移動ターミナルにコンテンツがダウンロードされる。その後、受取者の移動ターミナルから、コンテンツの所有権を有するエンティティのクレジットに電子支払がなされ、受取者の移動ターミナルでコンテンツを実行することが許される。
【０００９】
従って、コンテンツの利用について市場取引する有効な方法が提供される。即ち、受取者移動ターミナルのユーザは、提供者の移動ターミナルにおいてコンテンツの実行を見ることができ、そしてそれに応じて、コンテンツを受取者移動ターミナルにダウンロードしてそこで使用すべきかどうか判断することができる。このようにコンテンツをダウンロードすることは、ほとんど即座に行うことができる。又、コンテンツをダウンロードする判断は、例えば、提供者移動ターミナルのユーザが推奨するときにコンテンツをダウンロードするように受取者移動ターミナルのユーザにより行うこともできる。提供者の移動ターミナル、即ち受取者移動ターミナルのピアデバイスは、受取者移動ターミナルに対するコンテンツのソースを単に形成する。受取者移動ターミナルの登録、又は他の形態の照合は、提供者移動ターミナルによって行われる必要がない。受取者移動ターミナルにおいてコンテンツを使用する料金及びコンテンツを使用する許可は、受取者移動ターミナルから、コンテンツの所有権を有するエンティティのクレジットへの電子支払によって行われる。
【００１０】
本発明の１つの特徴において、ピアデバイスからダウンロードされるべきアプリケーションプログラムの選択を許す装置が移動ターミナルに設けられる。移動ターミナルは、例えば、セルラー無線システムにおいて動作でき、そしてそこにダウンロードされるアプリケーションプログラムは、イメージ又は実行可能なアプリケーションプログラムのような種々の形式のコンテンツのいずれかを形成する。ダウンローダーアプリケーションで形成されるコネクタは、受取者移動ターミナルにおいて実行される。これも又、ダウンローダーアプリケーションで形成される対応するコネクタは、提供者移動ターミナルにおいて実行される。ダウンローダーアプリケーションが実行される結果として、提供者移動ターミナルと受取者移動ターミナルとの間で情報が交換される。次いで、受取者移動ターミナルへダウンロードされるべきアプリケーションプログラムの選択がなされる。受取者移動ターミナルの信用度の決定がなされる。即ち、受取者移動ターミナルにおいてアプリケーションプログラムを使用した結果として生じる料金に対し、適当な被支払人エンティティに対して生じる料金を支払うための財源が得られるかどうかの決定がなされる。財源が得られると決定された場合には、両コネクタ間に形成される通信リンクにより受取者移動ターミナルへのアプリケーションプログラムのダウンロードがなされる。
【００１１】
本発明の別の特徴においては、信用度の電子指示が受取者移動ターミナルに維持される。信用度の指示は、受取者移動ターミナルにおけるアプリケーションプログラムの使用に対して適当な被支払人エンティティに支払をするための財源が得られるかどうかを決定するためにアクセスされる。１つの実施形態において、信用度の指示は、受取者移動ターミナルに解除可能に係合できる支払カードで形成される。別の実施形態では、信用度の指示は、受取者移動ターミナルに実施されそして実行できる電子ウオーレット（財布）ソフトウェアを形成する。受取者移動ターミナルにおけるアプリケーションプログラムの使用に対し支払を実行するために信用度の指示から借方記入（デビット処理）が更になされる。
【００１２】
本発明の更に別の特徴において、アプリケーションプログラムのダウンロードに続いて受取者移動ターミナルにおけるアプリケーションプログラムの使用に対して被支払人エンティティへの支払を行うための受取者移動ターミナル用の装置が提供される。被支払人エンティティに関連した支払口座デポジトリーへの接続を許すためのコネクタが設けられる。接続は、例えば、支払口座デポジトリーが接続されたインターネットバックボーンによって行われる。支払口座デポジトリーは、例えば、コンピュータサーバーに配置され、受取者移動ターミナルにおいて信用度の指示が借方記入されることにより被支払人エンティティの口座が貸方記入される。支払が行われると、受取者移動ターミナルにおけるアプリケーションプログラムの使用が許可される。
【００１３】
それ故、これら及び他の特徴において、提供者の移動ターミナルにおいて実行可能なコンテンツを受取者の移動ターミナルへ容易にコピーするための装置及び関連方法が提供される。その後、受取者移動ターミナルのユーザにより受取者移動ターミナルにおいてそのコンテンツを実行することができる。受取者移動ターミナルにおいてコンテンツが実行されると、被支払人エンティティへ支払い可能な料金が少なくとも選択的に発生する。受取者の移動ターミナルは、提供者の移動ターミナルのピアデバイスである。受取者移動ターミナルのダウンロードコネクタは、提供者の移動ターミナルとの通信リンクを実施するように選択的に動作できる。そして、信用支払インジケータは、受取者移動ターミナルの信用度の指示を少なくとも含む。支払インジケータ及びダウンロードコネクタにはダウンロードコントローラが接続される。ダウンロードコントローラは、信用度の指示が少なくとも選択されたスレッシュホールドにあることを支払いインジケータが指示した場合に受取者ターミナルダウンロードコネクタがアプリケーションプログラムを受取者移動ターミナルへダウンロードするのを許す。
【００１４】
【発明を実施するための最良の形態】
以下、添付図面を参照し、本発明の好ましい実施形態を詳細に説明する。
先ず、図１を参照すれば、１０で一般的に示されたシステムは、受取者の移動ターミナル１２と、提供者の移動ターミナル１４とを備えている。受取者の移動ターミナル及び提供者の移動ターミナルは、互いにピアであり、ここに例示する実施形態では、これらターミナル１２及び１４は、セルラー通信システムのような移動通信システムにおいて動作することができる。しかしながら、ターミナル１２及び１４は、ここに例示する実施形態について説明するが、他の実施形態では、他の形式の装置で形成されてもよいことに注意されたい。
移動ターミナル１２は、セルラー又は他の無線通信システムにおいて動作できる移動ターミナルに従来的に関連したトランシーバ回路より成る移動ターミナルオペレーティング回路１６を備えている。そして、移動ターミナル１４は、これもセルラー又は他の無線通信システムにおいて動作できる移動ターミナルに従来的に関連したトランシーバ回路である移動ターミナルオペレーティング回路１８を備えている。他の実施形態では、回路１６及び１８は、別の又は付加的な構造体で形成される。
【００１５】
受取者移動ターミナルは、ハードウェア要素及びＷＡＰのようなソフトウェアアプリケーションの両方で形成されたコネクタ２２を備えている。提供者の移動ターミナル１４も、同様に、ハードウェア要素及びＷＡＰのようなソフトウェアアプリケーションの両方で形成されたコネクタ２４を備えている。これらコネクタ２２及び２４は、２つのターミナル間に通信リンク２６を形成するように動作できる。通信リンクは、ここに例示する１つの実施形態では、「ＷＡＰ・オーバー・ブルーツース」のようなワイヤレス接続である。別の実施形態では、コネクタ２６は、「ＷＡＰ・オーバー・赤外線」のような赤外線接続で形成される。
【００１６】
受取者移動ターミナルは、更に、コネクタ及びダウンロードコントローラ２８も備えている。このコネクタ及びダウンロードコントローラは、ライン３２によりコネクタ２２に接続されるように示されている。ここに例示する実施形態では、コネクタ２２及びコントローラ２８が形成される機能的要素は、その少なくとも一部分がソフトウェアで実施される。このような実施は、破線のブロックで示す処理回路３４によりこのような要素を実行することにより行われる。同様に、提供者の移動ターミナル１４も、ライン４２によりコネクタ２４に接続されたコントローラ３８を備えている。この場合も、機能的要素２４及び３８は、ここに例示する実施形態では、少なくともその一部分がソフトウェアで実施されるので、このような要素は、処理回路４４内に実施されて示されている。
【００１７】
受取者移動ターミナルは、ここでは、更に、電子支払カード４８を支持係合的に受け入れて支持する支払カード受け入れプラットホーム４６を備えている。支払カード４８は、移動ターミナルに解除可能に係合できる。支払カードは、記憶される支払指示のような信用指示を記憶するための磁気ストリップ又は他の記憶媒体５２を含む。
別の実施形態では、破線のブロックで示された電子ウオーレットソフトウェア５４が支払カードに置き換えられるが、同様の機能を遂行する。即ち、電子ウオーレットソフトウェアは、そこに記憶された信用度の指示を含む。電子ウオーレットソフトウェアが使用される実施形態では、受取者移動ターミナルは、支払カード受け入れプラットホーム４６を含む必要がない。そして、個別に図示されていないが、提供者の移動ターミナルも、支払カード受け入れプラットホーム及び支払カード各々４６及び４８に対応する構造体又はそれと同等の構造体を含むことができる。
【００１８】
受取者移動ターミナル１２は、更に、アプリケーションプログラムを記憶することのできる記憶装置５８を含むように示されている。そして、提供者の移動ターミナル１４も、アプリケーションプログラムを記憶することのできる記憶要素６２を備えている。ここで、複数のアプリケーションプログラム６４が記憶要素６２に記憶されるように示されている。この場合も、「アプリケーションプログラム」という用語は、デジタル情報を識別するために「コンテンツ」という用語と同義で使用される。
【００１９】
システム１０は、更に、ネットワークバックボーン、ここでは、インターネットバックボーン６６も示している。受取者移動ターミナル１２のコネクタ２２は、インターネットバックボーン６６との通信リンク６８を実施するように動作できる。又、支払サーバー７２も、インターネットバックボーンに接続されて示されている。この支払サーバーは、支払口座デポジトリーを含み、その１つの支払口座デポジトリー７４が図示されている。従って、受取者移動ターミナルと支払サーバーとの間にインターネットバックボーンにより通信経路を形成することができる。この場合も、別々に示されていないが、提供者の移動ターミナル１４のコネクタ２４も、１つの実施形態では、移動ターミナル１４をインターネットバックボーンに接続することができる。ここに例示する実施形態では、支払サーバーは、インターネットのような公衆ネットワークに接続されて支払ソフトウェアを実行するコンピュータである。支払サーバーは、例えば、クレジットカード会社、銀行、又はサービスポータル、例えばインターネットゲームサイトによって動作される。支払サーバーそれ自体は、通常、クレジットカード会社又は銀行のコンピュータシステムに更に接続される。支払サーバーの重要な機能は、移動ターミナルとの電子金融トランザクションを遂行できるか、又は移動ターミナルと銀行のような金融団体との間のトランザクションを仲介できることである。
【００２０】
本発明の実施形態は、提供者の移動ターミナル１４に存在する選択されたアプリケーションプログラム６４を受取者の移動ターミナル１２にダウンロードするための方法を提供する。従って、提供者の移動ターミナル１４は、受取者の移動ターミナルに対するコンテンツのソースを形成する。選択されたアプリケーションプログラムが受取者移動ターミナルにダウンロードされた後に、提供者の移動ターミナル１４が受取者移動ターミナルとの接続から除去される。その後、受取者移動ターミナルにより支払サーバー７２の支払口座デポジトリー７４へ電子的支払がなされ、受取者移動ターミナルは、それにダウンロードされたアプリケーションプログラムをその後に使用することが許される。従って、受取者の移動ターミナルへダウンロードされたアプリケーションプログラムの所有権を有するエンティティが維持される。又、アプリケーションプログラムは、あるピアデバイスから別の装置へ、即ち提供者の移動ターミナルから受取者の移動ターミナルへ直接ダウンロードできるので、アプリケーションプログラムを市場取引して流通させる効率的な方法が提供される。
【００２１】
図２は、アプリケーションプログラム６４の例を示す。このアプリケーションプログラム６４は、ここでは、ソースコードを定義するデータ、又はイメージ等を形成するデータのような実際のコンテンツ８２を含むように示されている。このアプリケーションプログラムは、デジタルで指定されたパッケージであり、支払記録指示８４を含む。ここで、指示８４は、価格タグ８６、即ちアプリケーションプログラムの使用に関連したコストを含む。支払記録８４は、ここでは、所有者のデジタル証明８８を更に含み、これは、アプリケーションプログラムの所有権を有するエンティティを指示し、ここでは、そのエンティティが預金口座を有するところの支払口座デポジトリー（図１に示す）を識別する。そして、支払記録８４は、更に、支払口座デポジトリー７４が配置された支払サーバー７２（図１に示す）の位置を例えばＩＰアドレスで識別するための支払サーバー識別９２も含む。
【００２２】
図３も、図１に既に示されたシステム１０を示している。受取者移動ターミナル１２及び提供者移動ターミナル１４も示されている。そして、インターネットバックボーン６６に接続された支払サーバー７２も示されている。図示された形態では、支払カード４８を受取者移動ターミナルに挿入して、支払カード受け入れプラットホーム４６（図１に示す）に受け入れることができる。
移動ターミナル１２及び１４は、従来通りに動作し、ここでは、セルラー通信システムにおいて通信信号を送受信する。又、他の実施形態では、移動ターミナル１２及び１４は、他の機能を実行するように他のやり方で構成される。受取者移動ターミナル１２のユーザは、その移動ターミナル１２においてそこに存在するアプリケーションプログラムを実行することができる。そして、提供者の移動ターミナル１４のユーザも、その移動ターミナル１４に存在するアプリケーションプログラムを実行することができる。受取者移動ターミナル１２のユーザは、提供者移動ターミナル１４におけるアプリケーションプログラムの実行に気付くか、さもなくば、提供者移動ターミナルにおけるその存在が分かる。
【００２３】
受取者移動ターミナルのユーザが、提供者の移動ターミナルに記憶されたアプリケーションプログラムを、受取者移動ターミナルに存在させて、受取者移動ターミナルにおいて実行できることを望む場合には、各移動ターミナル１２及び１４のコネクタ２２及び２４の動作によって２つの移動ターミナル間に通信リンク２６が形成される。ここに例示する実施形態では、例えば「ＷＡＰ・オーバー・ブルーツース又は赤外線」チャンネルを使用することにより、ターミナル間にポイント対ポイント（ＰＰＰ）接続が形成される。両ターミナル１２及び１４においてダウンローダーアプリケーションが実行される。このようなダウンローダーアプリケーションは、ターミナルに予めインストールされ、そしてWindows９５（登録商標）のDirect Cable Connection（登録商標）と同様の仕方で概念的に動作し得る。ダウンローダーアプリケーションの実行中に情報が交換され、この情報は、提供者の移動ターミナル１４に記憶されたアプリケーションプログラム６４を問合せるためにライン１０２で示すように受取者移動ターミナルによって提供者移動ターミナルに送られる問合せを含む。受取者移動ターミナルのユーザにより、受取者移動ターミナルへダウンロードすることをユーザが希望するアプリケーションプログラムの選択がなされる。
【００２４】
選択されたアプリケーションプログラムをダウンロードする前に、アプリケーションプログラムの使用に対し受取者移動ターミナルのユーザに生じる料金に対する財源が受取者移動ターミナルに得られるかどうかについて最初に決定がなされる。この決定は、価格タグ８６（図２に示す）のコスト指示を支払いカード（又は電子ウオーレットソフトウェア）の信用指示５２（図１に示す）と比較することにより行われる。この決定は、受取者移動ターミナルにダウンロードされた場合にアプリケーションプログラムの使用に対して生じる料金の支払を行うための財源が受取者移動ターミナルに得られるかどうか指示する。この決定が肯定であるのに続いて、ライン１０４で示すように、アプリケーションプログラムがダウンロードされる。その後に、提供者移動ターミナル及び受取者移動ターミナルは、それらの間に接続が解除される。
【００２５】
次いで、受取者移動ターミナルとインターネットバックボーンとの間、ひいては、支払サーバー７２への接続が形成される。ここに例示する実施形態では、機密のＷＡＰが形成される。次いで、支払カード４８からの電子的金銭転送（電子ウオーレットソフトウェア）が、支払サーバー７２の支払口座デポジトリー７４（図１に示す）へと行われる。転送が行われると、受取者移動ターミナルのダウンローダーアプリケーションは、受取者移動ターミナルのユーザに、必要な転送が完了したことを通知する。受取者移動ターミナルと支払サーバーとの間の通信リンクの故障等によって電子支払が行われない場合には、既にダウンロードされた選択されたアプリケーションプログラムは、受取者移動ターミナルにおいて実行不能のままとされる。
【００２６】
従って、アプリケーションプログラムを効率的に市場取引しそして流通させる方法が提供された。アプリケーションプログラムの所有権を有するエンティティの支払口座デポジトリーへアプリケーションプログラムの使用に対する電子支払が行われない限り、受取者移動ターミナルは、ダウンロードされたアプリケーションプログラムを実行できないので、アプリケーションプログラムの所有権を有するエンティティへの支払が確保される。
図４は、本発明の実施形態による方法を１１２で一般的に示す。この方法１１２は、提供者の移動ターミナルで実行できるアプリケーションプログラムを受取者の移動ターミナルへ容易にコピーできるようにする。受取者の移動ターミナルへコピーされると、アプリケーションプログラムは、受取者移動ターミナルのユーザにより実行することができる。
先ず、ブロック１１４で示すように、受取者の移動ターミナルと提供者の移動ターミナルとの間に通信リンクが形成される。
【００２７】
次いで、ブロック１１６で示すように、受取者の移動ターミナルに配置された信用度の指示が少なくとも選択されたスレッシュホールドであるかどうかの決定がなされる。
次いで、ブロック１１８で示すように、信用度の指示が少なくとも選択されたスレッシュホールドであると決定された場合に、アプリケーションプログラムが受取者の移動ターミナルにダウンロードされる。
従って、提供者の移動ターミナルから受取者の移動ターミナルへコンテンツを即座にダウンロードすることが許される一方、ユーザがそのコンテンツを付加的に使用することに対し、そのコンテンツの所有権を有するプライベートドメインエンティティが適切に貸方記入されるよう確保する方法が提供された。
以上、本発明の好ましい実施形態を詳細に説明したが、本発明は、この説明に限定されるものではない。本発明の範囲は、特許請求の範囲によって限定されるものとする。
【図面の簡単な説明】
【図１】  ピアデバイスからアプリケーションプログラムをダウンロードし、その後、アプリケーションプログラムの使用に対して被支払人エンティティに支払を実行するように本発明の実施形態に基づいて動作できる移動ターミナルの機能的ブロック図である。
【図２】  本発明の実施形態の動作中にダウンロードすることのできるダウンロード可能なアプリケーションプログラムの機能的ブロック図である。
【図３】  本発明の実施形態の動作プロセスを機能的に示す図である。
【図４】  本発明の実施形態の動作方法を示すフローチャートである。
【図１】
0004384831.tif 000002
【図２】
0004384831.tif 000003
【図３】
0004384831.tif 000004
【図４】
0004384831.tif 000005